(57)【要約】【課題】  綴じられた書類などが引っ張られても、容易に外れたりしない綴じ部材を得る。【解決手段】  綴じ部材７０を用いた綴じ具２０は、軸受板２４を有する基板２２を含む。軸受板２４と切り起こし部３８に通された軸に、バネ部材５０および操作レバー６０を取り付ける。基板２２に形成した切り起こし部３０，３４の貫通孔３２，３６に、綴じ部材７０の突出片７４を挿通する。バネ部材５０の一端側５０ｂを操作レバー６０に固定し、他端側５０ｃを綴じ部材７０の先端の折曲部７６ａの貫通孔７７に嵌めこむ。操作レバー６０を閉じることにより、両端の突出片７４を結ぶ線を回転中心として、綴じ部材７０が回動し、基板２２上に置かれた書類を押付部７６ｂが押圧する。このとき、バネ部材５０の他端側５０ｃが、折曲部７６ａを押すことにより、押付部７６ｂが付勢される。【選択図】    図２
2006142798.tif 000002
【特許請求の範囲】
【請求項１】
板状の本体と、前記本体の一端側に形成される板状の押圧部とを含み、
前記押圧部の先端部で書類を押さえることにより前記書類を綴じるための綴じ部材であって、
前記押圧部は前記先端部に近づくにしたがって前記本体の他端側に向かうように傾斜していることを特徴とする、綴じ部材。
【請求項２】
前記押圧部は折れ曲がった形状に形成され、前記本体の一端から他端側に向かって延びたのちに前記本体から離れる向きに延びるように配置された、請求項１に記載の綴じ部材。
【発明の詳細な説明】
【技術分野】
【０００１】
この発明は、綴じ部材に関し、特にたとえば、書類をファイルやクリップボードなどに綴じるための綴じ具に用いられる綴じ部材に関する。
【背景技術】
【０００２】
図２９は従来の綴じ部材を用いた綴じ具の一例を示す平面図であり、図３０はその断面図解図である。綴じ具１は、板状の基板２を含む。基板２の幅方向の一端側には、垂直壁３が形成される。また、垂直壁３と対向するようにして、基板２上に、枢支壁４および起立壁５が形成される。枢支壁４には、綴じ部材６が取り付けられる。綴じ部材６は、幅方向の中間部において回動可能に枢支壁４に取り付けられ、幅方向の一端側が垂直壁３側に配置され、他端側が垂直壁３の反対側に配置される。綴じ部材６は、上側に膨らむように湾曲して形成され、幅方向の他端側において、基板２に向かって徐々に下がっていくように形成される。
【０００３】
さらに、垂直壁３と起立壁５との間に枢支軸が掛け渡され、この枢支軸にバネ部材７および操作レバー８が取り付けられる。バネ部材７の一端側は操作レバー８の内側に延びるように形成され、操作レバー８に固定される。また、バネ部材８の他端側は、垂直壁３と枢支壁４との間において綴じ部材６の幅方向の一端側に延びるように形成され、綴じ部材６の下面に当接される。そして、操作レバー８を操作することにより、バネ部材７の他端側が垂直壁３側の綴じ部材６を持ち上げ、綴じ部材６の他端側が基板２の面に押し当てられる。この綴じ部材６と基板２との間に書類などを挟み込むことによって、書類が綴じ込まれる（特許文献１参照）。
【０００４】
【特許文献１】実開昭４９−７６７１４号公報
【発明の開示】
【発明が解決しようとする課題】
【０００５】
しかしながら、このような従来の綴じ具では、綴じ具に挟み込まれた書類などが引っ張られたとき、書類を押える綴じ部材の端部が、書類の引っ張り方向に傾斜しているため、書類の引っ張り力に対する抵抗力が弱く、綴じ具から書類が外れやすいという問題がある。
【０００６】
それゆえに、この発明の主たる目的は、綴じられた書類などが引っ張られても、容易に外れたりしない綴じ部材を提供することである。
【課題を解決するための手段】
【０００７】
この発明は、板状の本体と、本体の一端側に形成される板状の押圧部とを含み、押圧部の先端部で書類を押さえることにより書類を綴じる綴じ部材であって、押圧部は先端部に近づくにしたがって本体の他端側に向かうように傾斜していることを特徴とする、綴じ部材である。
このような綴じ部材において、押圧部は折れ曲がった形状に形成され、本体の一端から他端側に向かって延びたのちに本体から離れる向きに延びるように配置されたものであってもよい。
【０００８】
本体の一端側に形成される押圧部が、先端部に近づくにしたがって本体の他端側に向かうように傾斜しているため、書類が綴じ部材から外れる向きに引っ張られたとき、押圧部が起き上がる向きに力が働く。押圧部は書類によって与えられる力によって変形し、変形が元に戻ろうとする力により、書類が引っ張られる力に対する抵抗力が発生する。
押圧部が折れ曲がった形状に形成され、本体の一端から他端側に向かって延びたのちに本体から離れる向きに延びるように配置されている場合、書類が引っ張られたときに、押圧部の先端側が立ち上がる向きに力が働くことにより、押圧部の折り曲げ部がさらに深く折り曲げられるように変形する。このような変形が元に戻ろうとする力により、書類が引っ張られる力に対する抵抗力がより大きくなる。
【発明の効果】
【０００９】
この発明によれば、綴じ部材で押えられた書類が引っ張られても、書類を押えている押圧部がその力に抵抗して、書類が外れることが防止される。そのため、書類が綴じ部材から不用意に外れたりせず、書類が散乱したりすることが防止される。
【００１０】
この発明の上述の目的，その他の目的，特徴および利点は、図面を参照して行う以下の発明を実施するための最良の形態の説明から一層明らかとなろう。
【発明を実施するための最良の形態】
【００１１】
図１はこの発明の綴じ部材を用いた綴じ具の一例を示す斜視図であり、図２はこの綴じ具を閉じた状態を示す斜視図である。また、図３は綴じ具を開いた状態を示す側面図解図であり、図４は綴じ具を閉じた状態を示す側面図解図である。綴じ具２０は、金属製薄板によって形成される基板２２を含む。基板２２の幅方向の一端側における直線状長手端縁には、図５に示すように、基板２２に対して直立する軸受板２４が一体的に形成される。軸受板２４は、基板２２の長手方向の手前側端縁より後側端縁近傍に至るまで連続して形成される。軸受板２４の長手方向の一端側（後側）には、円形の貫通孔２６が形成され、軸受板２４の長手方向の他端側（手前側）には、後述の操作レバーを固定するための固定用凸部２８が形成される。固定用凸部２８は、たとえば軸受板２４に４角形の孔を形成し、孔の上方部分を基板２２側に押し出すことにより形成される。
【００１２】
軸受板２４の貫通孔２６形成部の後側近傍において、軸受板２４と適宜な間隔を隔てて基板２２の長手方向の一端側の角部が切り起こされ、切り起こし部３０が形成される。切り起こし部３０の主面は、軸受板２４の主面と直交するように形成される。この切り起こし部３０には、円形の貫通孔３２が形成される。さらに、固定用凸部２８の手前側近傍において、切り起こし部３０の主面に平行な面を有する別の切り起こし部３４が形成される。切り起こし部３４は、基板２２にＵ字状の切り込みを形成し、この部分を切り起こすことにより形成される。この切り起こし部３４には、円形の貫通孔３６が形成される。これらの切り起こし部３０と切り起こし部３４とは対向し、その貫通孔３２，３６を結ぶ線は、軸受板２４の基板２２側の主面に平行となるように配置される。
【００１３】
さらに、これらの切り起こし部３０，３４の間であって、切り起こし部３０の貫通孔３２と切り起こし部３４の貫通孔３６とを結ぶ線より軸受板２４から離れる側において、軸受板２４の面と平行な面を有する切り起こし部３８が形成される。この切り起こし部３８も、基板２２にＵ字状の切り込みを形成し、この部分を切り起こすことにより形成される。この切り起こし部３８には、円形の貫通孔４０が形成され、軸受板２４の貫通孔２６と切り起こし部３８の貫通孔４０とが対向するように配置される。すなわち、切り起こし部３０の貫通孔３２と切り起こし部３４の貫通孔３６とを結ぶ線と、軸受板２４の貫通孔２６と切り起こし部３８の貫通孔４０とを結ぶ線とが、互いに直交するように形成される。また、基板２２の幅方向の他端側には、２つの凸部４２が形成される。これらの凸部４２は、基板２２の長手方向に一定の間隔をおいて並んで形成される。そして、基板２２の長手方向の両側には、綴じ具２０をファイルなどに取り付けるための貫通孔４４が後側と手前側とに一対形成される。
【００１４】
軸受板２４の貫通孔２６と切り起こし部３８の貫通孔４０には、軸４６が挿通され、軸４６に捩りコイルバネからなるバネ部材５０および操作レバー６０が取り付けられる。バネ部材５０は、巻線部５０ａを有し、巻線部５０ａの一端側５０ｂが軸受板２４の面に略平行に延びるように形成され、巻線部５０ａの他端側５０ｃが基板２２の幅方向で軸受板２４より離れる方向に延びるように形成される。
【００１５】
操作レバー６０は、金属板などによって長尺状に形成され、その強度を高めるために、横断面略Ｌ字状または横断面略Ｕ字状に形成される。操作レバー６０の長手方向の一端側において、垂直側壁には円形の貫通孔６２が形成される。そして、軸４６が、操作レバー６０の貫通孔６２とバネ部材５０の巻線部５０ａに挿通するようにして、軸受板２４および切り起こし部３８に取り付けられる。バネ部材５０の一端側５０ｂは、操作レバー６０の内側に沿って配置され、操作レバー６０の垂直側壁の一部を内側に向けて折り曲げた折曲片６４によって固定される。さらに、操作レバー６０の側壁には、軸受板２４の固定用凸部２８に対応する位置に矩形の貫通孔６６が形成される。この貫通孔６６に固定用凸部２８が嵌め込まれることにより、操作レバー６０が軸受板２４に固定される。また、操作レバー６０の長手方向の他端側は、幅広に形成され、指で操作しやすくなっている。
【００１６】
さらに、基板２２上には、平面視略長方形状の綴じ部材７０が、基板２２の長手方向に延びて軸受板２４と平行に取り付けられる。綴じ部材７０は、たとえば１枚の金属板によって形成される。綴じ部材７０は、たとえば切り起こし部３０，３４の距離に略等しい長さを有し、幅方向において上方に向けて膨らむように湾曲する形状（断面半円弧状）に形成された本体７２を有する。
そして、本体７２の幅方向の軸受板２４側において、その長手方向の両側に突出する枢軸たる突出片７４が本体７２と一体的に形成される。これらの突出片７４が、枢軸受けたる切り起こし部３０の貫通孔３２および切り起こし部３４の貫通孔３６に嵌め込まれる。したがって、綴じ部材７０は、２つの突出片７４を結ぶ線を回転中心として回動可能となっている。なお、突出片７２の強度を高め、貫通孔３２，３６内で突出片７４が回転しやすいように、突出片７４は幅方向に屈曲するように形成される。このように、綴じ部材７０から突出する突出片７４を切り起こし部３０，３４の貫通孔３２，３６に嵌め込むことにより、別部品たる回転軸などを用いて綴じ部材７０を回動可能に保持する場合に比べて、部品数を少なくすることができる。
【００１７】
バネ部材５０の一端側５０ｂは、巻線部５０ａの軸受板２４側でその後側の上端より手前側に直線状に延び、その先端が力を受けないときは、その先端が手前側に斜め上方に向けて延びるように形成されている。
他端側５０ｃは、巻線部５０ａの切り起こし部３８側でその手前側の下端より軸受板２４とは反対側に延びた略Ｌ字状で、力を受けないときは、上方に延びた立ち上がり部５０ｄの上端から斜め上方に架け渡し部５０ｅが延び、架け渡し部５０ｅの自由端側に水平方向に屈曲した係止部５０ｆが突設されている。
【００１８】
また、本体７２の幅方向における軸受板２４の反対側には、押圧部７６が形成される。押圧部７６は、上述の回転中心側に向かって折り曲げられた折曲部７６ａを含む。折曲部７６ａは、本体７２の手前側端縁より後側端縁に至るまで連続して形成される。さらに、折曲部７６ａの先端側が基板２２側に向かって折り曲げられ、書類などの被綴じ物１００を押えるための押付部７６ｂが形成される。つまり、押圧部７６は、折曲部７６ａが本体７２の端部から軸受板２４側に向かって延びたのち、押付部７６ｂが本体７２から離れる向きに延びるように、略Ｌ字状に形成される。したがって、押圧部７６の押付部７６ｂは、その先端部に向かうにしたがって、綴じ部材７０の回転中心側に傾斜するように形成される。つまり、押圧部７６の押付部７６ｂは、綴じ部材７０が基板２２側に閉じた状態のときに、折曲部７６ａから基板２２に向かうにしたがって、綴じ部材７０の回転中心側に傾斜するように形成される。この押圧部７６の押付部７６ｂによって、書類などの被綴じ物１００が１本の直線状に押圧される。
【００１９】
バネ部材５０の先端部（係止部５０ｆ）は、図３及び４において示すように、綴じ部材７０が閉じた状態のときと開いた状態のときのいずれのときにも、基板２２の幅方向における位置は殆ど変わらない。そして、綴じ部材７０が綴じる書類などの被綴じ物１００を押圧して操作レバー６０を固定用凸部２８に係止させたときには、バネ部材５０の他端側５０ｃが屈曲状態から伸びた状態になるとともに先端部（係止部５０ｆ）がねじれて係止部５０ｆが水平状態から下向きに変形するが、このバネ部材５０の変形状態を許容できるように、貫通孔７７が押圧部７６の長手方向及び幅方向に延びている。
【００２０】
なお、押圧部７６の押付部７６ｂによって押圧される部分は、１本の直線状に限らず、図６に示すように、押付部７６ｂの長手方向の両端部で押圧されてもよい。この場合、押付部７６ｂの先端においては、長手方向の両端部から中央部に向かうにしたがって凹むような形状に形成される。また、図７に示すように、押付部７６ｂの長手方向において、複数の凹部を形成し、直線上の複数の点で書類などの被綴じ物１００を押圧してもよい。さらに、直線上の複数個所で書類などの被綴じ物１００を押圧する場合、図８に示すように、点ではなく線状に押圧してもよい。このように、押付部７６ｂで押圧する部分は、１本の直線状であってもよいし、直線上の複数個所において点または線状の部分であってもよい。
なお、綴じ部材７０の本体７２は、湾曲した形状に限らず、図９ないし図１２に示すように、金属板を折り曲げることによって形成されてもよい。
【００２１】
ここで、綴じ部材７０が基板２２側に閉じた状態のときに、折曲部７６ａは本体７２の端部側から本体７２の内側に向けて上昇する。折曲部７６ａには、矩形の貫通孔７７が形成され、バネ部材５０の他端側５０ｃが嵌め込まれ、バネ部材５０の他端側５０ｃの先端部が折り曲げられて貫通孔７７から外れないようにされている。この実施の形態においては、貫通孔７７は、綴じ部材７０の前後端に形成された突出片７４の間において、軸４６に巻装された巻線部５０ａに近い位置に形成されている。さらに、押圧部７６の押付部７６ｂには、書類などの被綴じ物１００を押さえ付けたときの力による変形を防ぐために、直線状のリブ７８が形成されている。
【００２２】
このような綴じ具２０は、たとえば基板２２に形成された貫通孔４４に取付用金具などを挿通することにより、ファイルなどに取り付けられる。そして、操作レバー６０を操作することにより、綴じ部材７０を開閉することができる。ここで、図１に示すように、操作レバー６０を上げることにより、バネ部材５０の他方側５０ｃが綴じ部材７０を持ち上げ、基板２２と綴じ部材７０の押圧部７６との間に隙間が生じる。この隙間に書類などの被綴じ物１００が挿入され、操作レバー６０を下げることにより、綴じ部材７０が閉じて、押圧部７６の押付部７６ｂによって書類などの被綴じ物１００が基板２２に向かって押し付けられる。つまり、操作レバー６０を下げることにより、バネ部材５０の巻線部５０ａが締め付けられ、バネ部材５０の他端側５０ｃによって、押圧部７６の押付部７６ｂが基板２２方向に付勢される。
【００２３】
このとき、図１３に示すように、書類などの被綴じ物１００に対して、押圧部７６の押付部７６ｂが斜めに押し付けられる。そして、書類などの被綴じ物１００を引き抜くような力が加わったとき、押圧部７６の押付部７６ｂの傾斜方向とは逆向きの力が加わるとともに、折曲部７６ａおよび押付部７６ｂとの間の屈曲部分をさらに屈曲させる向きの力が加わる。このような折曲部７６ａおよび押付部７６ｂの変形が元に戻ろうとする力により、押圧部７６の押付部７６ｂから書類などの被綴じ物１００の引き抜きに対して抵抗力となるような力が加わり、書類などの被綴じ物１００が綴じ具２０から外れにくくなる。
【００２４】
さらに、押圧部７６の押付部７６ｂが折曲部７６ａから基板２２側に向かうにしたがって綴じ部材７０の回転中心側に向かうように傾斜しているため、図１４に示すように、書類などの被綴じ物１００が厚くなっても、押圧部７６の押付部７６ｂは書類などの被綴じ物１００の面に対して直交する位置にはなりにくく、書類などの被綴じ物１００の抜け落ちに対する抵抗力を保つことができる。
【００２５】
また、綴じ部材７０の先端に押圧部７６を形成する場合、図１５に示すように、１回だけ綴じ部材７０の先端側を回転中心側に折り曲げて押圧部７６としてもよい。この場合、折曲部は形成されないが、書類などの被綴じ物１００を引き抜くような力が加わったときに、押圧部７６の傾斜方向とは逆向きの力が加わり、押圧部７６が起き上がるように変形する。そのため、押圧部７６の変形が元に戻ろうとする力により、書類などの被綴じ物１００の引き抜きに対して抵抗力を得ることができる。
【００２６】
さらに、図１６に示すように、このような本体７２と押圧部７６とを有する綴じ部材７０は、クリップボード８０に取り付けることもできる。クリップボード８０は、たとえば合成樹脂などで形成される矩形板状のボード８２を含む。ボード８２の幅方向の一端側における直線状長手端縁には、保持される書類などの被綴じ物１００の端部を揃えるための凸条部８４が形成される。さらに、ボード８２の幅方向の他端側で長手方向の一端側には、ペンなどを保持するための略Ｌ字状の保持具８６が形成される。ボード８２の長手方向の一端側には、綴じ部材７０が取り付けられる。綴じ部材７０の下面においては、図１７に示すように、ボード８２の幅方向の両側に軸受け部８８が形成される。軸受け部８８は、たとえばボード８２の面上に直立するように形成され、ボード８２の幅方向に対向する位置に円形の凹部が形成される。そして、綴じ部材７０の本体７２の下面から軸受け部８８の内側に沿って、軸支部９０が形成される。軸支部９０は、ボード８２の幅方向の両側に形成された軸受け部８８の間に形成され、軸受け部８８の凹部に向かって円柱状の軸部９２が形成される。したがって、綴じ部材７０の軸部９２がボード８２に形成された軸受け部８８の凹部内で回転可能に支持される。
【００２７】
また、ボード８２と綴じ部材７０との間には、クランク状のバネ部材９４が取り付けられる。ボード８２には、バネ部材９４の脚部を受けるための凹状のバネ受け部９６が形成され、ここにバネ部材９４の脚部が保持される。さらに、綴じ部材７０の本体７２の下面には、バネ部材９４の中央部を受けるための凹溝９８が形成され、この凹溝９８にバネ部材９４の中央部が保持される。
【００２８】
綴じ部材７０は、軸支部９０の軸９２を中心として回動可能に支持され、バネ部材９４によって、綴じ部材７０の幅方向の一端側がボード８２の面に押し当てられるように付勢されている。ここで、ボード８２に押し当てられる綴じ部材７０の端部には、押圧部７６が形成される。押圧部７６は、図１７に示すように、折曲部７６ａと押付部７６ｂとを有するものであるが、図１５に示すような折曲部のない押圧部７６が形成されてもよい。
【００２９】
このようなクリップボード８０においても、綴じ部材７０に押圧部７６が形成されていることにより、綴じ部材７０に綴じ込まれた書類などの被綴じ物１００が引っ張られたとき、押圧部７６によって抵抗力が発生し、書類などの被綴じ物１００が外れにくくなる。このように、この発明の押圧部を有する綴じ部材は、書類などの被綴じ物１００を保持するファイルやクリップボードなど、あらゆる商品に適用することができる。
【００３０】
この発明は、前記実施の形態にかぎらず、この発明の思想に基づき種々変更することが可能である。
次に、前記図９ないし図１２図示実施の形態の変形例について説明する。
図１８はこの発明の綴じ部材を用いた綴じ具の一例を示す斜視図であり、図１９はこの綴じ具を閉じた状態を示す斜視図である。また、図２０は綴じ具を開いた状態を示す側面図解図であり、図２１は綴じ具を閉じた状態を示す側面図解図である。
綴じ具２２０は、金属製薄板によって形成される基板２２２を含む。基板２２２の幅方向の一端側における直線状長手端縁には、図２２に示すように、基板２２２に対して直立する軸受板２２４が一体的に形成される。軸受板２２４は、基板２２２の長手方向の手前側端縁より後側端縁近傍に至るまで連続して形成される。軸受板２２４の長手方向の一端側（後側）には、円形の貫通孔２２６が形成され、軸受板２２４の長手方向の他端側（手前側）には、後述の操作レバーを固定するための固定用凸部２２８が形成される。固定用凸部２２８は、たとえば軸受板２２４に４角形の孔を形成し、孔の上方部分を基板２２２側に押し出すことにより形成される。
【００３１】
軸受板２２４の貫通孔２２６形成部の後側近傍において、軸受板２２４と適宜な間隔を隔てて基板２２２の長手方向の一端側の角部が切り起こされ、切り起こし部２３０が形成される。切り起こし部２３０の主面は、軸受板２２４の主面と直交するように形成される。この切り起こし部２３０には、円形の貫通孔２３２が形成される。さらに、固定用凸部２２８の手前側近傍において、切り起こし部２３０の主面に平行な面を有する別の切り起こし部２３４が形成される。切り起こし部２３４は、基板２２２にＵ字状の切り込みを形成し、この部分を切り起こすことにより形成される。この切り起こし部２３４には、円形の貫通孔２３６が形成される。これらの切り起こし部２３０と切り起こし部２３４とは対向し、その貫通孔２３２，２３６を結ぶ線は、軸受板２２４の基板２２２側の主面に平行となるように配置される。
【００３２】
さらに、これらの切り起こし部２３０，２３４の間であって、切り起こし部２３０の貫通孔２３２と切り起こし部２３４の貫通孔２３６とを結ぶ線より軸受部２２４から離れる側において、軸受板２２４の面と平行な面を有する切り起こし部２３８が形成される。この切り起こし部２３８も、基板２２２にＵ字状の切り込みを形成し、この部分を切り起こすことにより形成される。この切り起こし部２３８には、円形の貫通孔２４０が形成され、軸受板２２４の貫通孔２２６と切り起こし部２３８の貫通孔２４０とが対向するように配置される。すなわち、切り起こし部２３０の貫通孔２３２と切り起こし部２３４の貫通孔２３６とを結ぶ線と、軸受板２２４の貫通孔２２６と切り起こし部２３８の貫通孔２４０とを結ぶ線とが、互いに直交するように形成される。また、基板２２２の幅方向の他端側には、２つの凸部２４２が形成される。これらの凸部２４２は、基板２２２の長手方向に一定の間隔をおいて並んで形成される。そして、基板２２２の長手方向の両側には、綴じ具２２０をファイルなどに取り付けるための貫通孔２４４が後側と手前側とに一対形成される。
【００３３】
軸受板２２４の貫通孔２２６と切り起こし部２３８の貫通孔２４０には、軸２４６が挿通され、軸２４６に捩りコイルバネからなるバネ部材２５０および操作レバー２６０が取り付けられる。バネ部材２５０は、巻線部２５０ａを有し、巻線部２５０ａの一端側２５０ｂが軸受板２２４の面に略平行に延びるように形成され、巻線部２５０ａの他端側２５０ｃが基板２２２の幅方向で軸受板２２４より離れる方向に延びるように形成される。
【００３４】
バネ部材２５０の一端側２５０ｂは、巻線部２５０ａの軸受板２２４側でその後側の上端より手前側に直線状に延び、その先端が力を受けないときは、その先端が手前側に斜め上方に向けて延びるように形成されている。
他端側２５０ｃは、巻線部２５０ａの切り起こし部２３８側でその手前側の下端より軸受板２２４とは反対側に延びた略Ｌ字状で、力を受けないときは、上方に延びた立ち上がり部２５０ｄの上端から斜め上方に架け渡し部２５０ｅが延び、架け渡し部２５０ｅの自由端側に水平方向に屈曲した係止部２５０ｆが突設されている。
【００３５】
操作レバー２６０は、金属板などによって長尺状に形成され、その強度を高めるために、横断面略Ｌ字状または横断面略Ｕ字状に形成される。操作レバー２６０の長手方向の一端側における垂直側壁には、円形の貫通孔２６２が形成される。そして、軸２４６が、操作レバー２６０の貫通孔２６２とバネ部材２５０の巻線部２５０ａに挿通するようにして、軸受板２２４および切り起こし部２３８に取り付けられる。バネ部材２５０の一端側２５０ｂは、操作レバー２６０の内側に沿って配置され、操作レバー２６０の垂直側壁の一部を内側に折り曲げた折曲片２６４によって固定される。さらに、操作レバー２６０の垂直側壁には、軸受板２２４の固定用凸部２２８に対応する位置に矩形の貫通孔２６６が形成される。この貫通孔２６６に固定用凸部２２８が嵌め込まれることにより、操作レバー２６０が軸受板２２４に固定される。また、操作レバー２６０の長手方向の他端側は、幅広に形成され、指で操作しやすくなっている。
【００３６】
さらに、基板２２２上には、平面視略長方形状の綴じ部材２７０が、基板２２２の長手方向に延びて軸受板２２４と平行に取り付けられる。綴じ部材２７０は、たとえば１枚の金属板によって形成される。綴じ部材２７０は、たとえば切り起こし部２３０，２３４の距離に略等しい長さを有し、幅方向において上方に向けて膨らむように屈曲する形状（断面略Ｌ字状）に形成される。
そして、綴じ部材２７０の幅方向の軸受板２２４側において、その長手方向の両側に突出する枢軸たる突出片２７４が形成される。これらの突出片２７４が、枢軸受けたる切り起こし部２３０の貫通孔２３２および枢軸受けたる切り起こし部２３４の貫通孔２３６に嵌め込まれる。したがって、綴じ部材２７０は、２つの突出片２７２を結ぶ線を回転中心として回動可能となっている。なお、突出片２７２の強度を高め、貫通孔２３２，２３６内で突出片２７２が回転しやすいように、突出片２７２は幅方向に屈曲するように形成される。このように、綴じ部材２７０から突出する突出片２７２を切り起こし部２３０，２３４の貫通孔２３２，２３６に嵌め込むことにより、別部品たる回転軸などを用いて綴じ部材２７０を回動可能に保持する場合に比べて、部品数を少なくすることができる。
【００３７】
また、綴じ部材２７０の幅方向における軸受板２２４の反対側は、押圧部２７６が形成される。押圧部２７６は、上述の回転中心側（突出片２７２側）に向かって水平面に対して略２０°折り曲げられ、折曲部２７６ａが形成される。折曲部２７６ａは、綴じ部材２７０の手前側端縁より後側端縁に至るまで連続して形成される。さらに、折曲部２７６ａの先端側が基板２２２側に向かって折り曲げられ、書類などの被綴じ物１００を押えるための押付部２７６ｂが形成される。押付部２７６ｂは、折曲部２７６ａの手前側端縁より後側端縁に至るまで連続して形成される。押付部２７６ｂは、綴じ部材２７０が基板２２２側に閉じた状態のときに、折曲部２７６ａから基板２２２に向かうにしたがって、綴じ部材２７０の回転中心側に傾斜するように形成される。したがって、折曲部２７６ａと押付部２７６ｂとは、略Ｌ字状に連設される。この押付部２７６ｂによって、書類などの被綴じ物１００が１本の直線状に押圧される。ここで、綴じ部材２７０が基板２２２側に閉じた状態のときに、折曲部２７６ａは綴じ部材２７０の端部側から綴じ部材２７０の内側に向けて上昇する。
【００３８】
綴じ部材２７０は、図２３において示すように、略Ｌ字型の本体２７２を含み、本体２７２は、突出片２７４側より軸受板２２４とは反対側の斜め上方に延びた立ち上がり部２７２ａと、立ち上がり部２７２ａの上端から斜め下方（水平面に対して略２２°）に向けて延びた架け渡し部２７２ｂと、架け渡し部２７２ｂの自由端に、綴じ部材２７２の手前側端縁より後側端縁に亘って斜め下方（垂直面に対して略１５°）に向けて折り曲げられた、屈曲部２７２ｃとを備えている。
綴じ部材２７０は本体２７２の自由端に形成された押圧部２７６を備え、前記本体２７２と押圧部２７６とは、一体形成されている。
屈曲部２７０ｃの自由端には、押圧部２７６が連設され、押圧部２７６の折曲部２７６ａは、架け渡し部２７２ｂと一定の間隔をおいて略平行に形成され、書類などの被綴じ物１００を押えるときに架け渡し部２７２ｂ側に若干撓みつつ押付部２７６ｂが書類などの被綴じ物１００を押圧し得るように形成されている。
綴じ部材２７０の立ち上がり部２７０ａは、操作レバー２６０を固定用凸部２２８から外すことができるスペースを確保するように、軸受板２２４との間が上方に向かうに従って拡がる傾斜面（垂直面に対して略４５°傾斜した面）が形成されている。
【００３９】
バネ部材２５０は、他端側２５０ｃが綴じ部材２７０の内面に近似した形状に形成され、バネ部材２５０の立ち上がり部２５０ｄが綴じ部材２７０の立ち上がり部２７２ａの内面近傍にそしてバネ部材２５０の架け渡し部２５０ｅが綴じ部材２７０の架け渡し部２７２ｂの内面近傍に位置するように、綴じ部材２７０の内面側に設けられている。
【００４０】
折曲部２７６ａには、矩形の貫通孔２７７が形成され、バネ部材２５０の他端側２５０ｃが架け渡し部２７２ｂ側より嵌め込まれ、バネ部材２５０の他端側２５０ｃの先端部（係止部２５０ｆ）が折り曲げられて貫通孔２７７から外れないようにされている。この実施の形態においては、貫通孔２７７は、綴じ部材２７０の前後端に形成された突出片２７２の間において、軸２４６に巻装された巻線部２５０ａに近い位置に形成されている。さらに、押付部２７６ｂには、書類などの被綴じ物１００を押さえ付けたときの力による変形を防ぐために、直線状のリブ２７８が形成されている。
【００４１】
バネ部材２５０の先端部（係止部２５０ｆ）は、図２４において示すように、綴じ部材２７０が閉じた状態のときと開いた状態のときのいずれのときにも、基板２２２の幅方向における位置は殆ど変わらない。そして、綴じ部材２７０が綴じる書類などの被綴じ物１００を押圧して操作レバー２６０を固定用凸部２２８に係止させたときには、バネ部材２５０の他端側２５０ｃが屈曲状態から伸びた状態になるとともに先端部（係止部２５０ｆ）がねじれて係止部２５０ｆが水平状態から下向きに変形するが、このバネ部材２５０の変形状態を許容できるように、貫通孔２７７が押圧部２７６の長手方向及び幅方向に延びている。
【００４２】
基板２２２は、切り起こし部２３４の突出片２７２より外側において、綴じる書類などの被綴じ物１００の端縁を揃えるための軸受板２２４の面と平行な面を有する、用箋揃え部２４８が形成されている。
用箋揃え部２４８も、基板２２２にＵ字状の切り込みを形成し、この部分を切り起こすことにより形成される。
なお、切り起こし部２３４は、軸受板２２４とは反対側の端縁が、用箋揃え部２４８の軸受板２２４とは反対側の表面と同一平面（想像上）上に揃うように形成されている。
したがって、切り起こし部２３４の端縁がガイドとなって、用箋揃え部２４８に綴じる書類などの被綴じ物１００の端縁を当接させて綴じることができる。
【００４３】
このような綴じ具２２０は、たとえば基板２２２に形成された貫通孔２４４に取付用金具などを挿通することにより、ファイルなどに取り付けられる。そして、操作レバー２６０を操作することにより、綴じ部材２７０を開閉することができる。ここで、図１８に示すように、操作レバー２６０を上げることにより、バネ部材２５０の他方側２５０ｃが綴じ具２２０を持ち上げ、基板２２２と綴じ部材２７０の押圧部２７６との間に隙間が生じる。この隙間に書類などの被綴じ物１００が挿入され、操作レバー２６０を下げることにより、綴じ部材２７０が閉じて、押圧部２７６によって書類などの被綴じ物１００が基板２２２に向かって押し付けられる。つまり、操作レバー２６０を下げることにより、バネ部材２５０の巻線部２５０ａが締め付けられ、バネ部材２５０の他端側２５０ｃによって、押圧部２７６が基板２２２方向に付勢される。
【００４４】
このとき、図２５及び２６に示すように、書類などの被綴じ物１００に対して、押付部２７６ｂが斜めに押し付けられる。そして、書類などの被綴じ物１００を引き抜くような力が加わったとき、押付部２７６ｂの傾斜方向とは逆向きの力が加わるとともに、折曲部２７６ａおよび押付部２７６ｂの屈曲部分をさらに屈曲させる向きの力が加わる。このような折曲部２７６ａおよび押付部２７６ｂの変形が元に戻ろうとする力により、押付部２７６ｂから書類などの被綴じ物１００の引き抜きに対して抵抗力となるような力が加わり、書類などの被綴じ物１００が綴じ具２２０から外れにくくなる。
【００４５】
さらに、押付部２７６ｂが折曲部２７６ａから基板２２２側に向かうにしたがって綴じ部材２７０の回転中心側に向かうように傾斜しているため、図２７及び２８に示すように、書類などの被綴じ物１００が厚くなっても、書類などの被綴じ物１００が薄いときと比してやや立ちぎみとはなるが、押付部２７６ｂは書類などの被綴じ物１００の面に対して直交する位置にはなりにくく、書類などの被綴じ物１００の抜け落ちに対する抵抗力を保つことができる。
【図面の簡単な説明】
【００４６】
【図１】この発明の綴じ部材を用いた綴じ具の一例を示す斜視図である。
【図２】図１に示す綴じ具を閉じた状態を示す斜視図である。
【図３】図１に示す綴じ具を開いた状態を示す側面図解図である。
【図４】図１に示す綴じ具を閉じた状態を示す側面図解図である。
【図５】図１に示す綴じ具の分解斜視図である。
【図６】図１に示す綴じ部材の押付部の変形例を示す平面図である。
【図７】図１に示す綴じ部材の押付部の他の変形例を示す平面図である。
【図８】図１に示す綴じ部材の押付部のさらに他の変形例を示す平面図である。
【図９】この発明の綴じ部材の他の例を用いた綴じ具を示す斜視図である。
【図１０】図９に示す綴じ具を閉じた状態を示す斜視図である。
【図１１】図９に示す綴じ具を開いた状態を示す側面図解図である。
【図１２】図９に示す綴じ具を閉じた状態を示す側面図解図である。
【図１３】図１に示す綴じ具で少ない書類を綴じたときの押付部の状態を示す図解図    である。
【図１４】図１に示す綴じ具で多い書類を綴じたときの押付部の状態を示す図解図で    ある。
【図１５】別の押付部を有する綴じ部材で書類を綴じた状態を示す図解図である。
【図１６】この発明の綴じ部材を用いたクリップボードの一例を示す斜視図である。
【図１７】図１６に示すクリップボードの綴じ部材形成部を示す図解図である。
【図１８】この発明の綴じ部材を用いた綴じ具の一例を示す斜視図である。
【図１９】この綴じ具を閉じた状態を示す斜視図である。
【図２０】綴じ具を開いた状態を示す側面図解図である。
【図２１】綴じ具を閉じた状態を示す側面図解図である。
【図２２】図１８に示す綴じ具の分解斜視図である。
【図２３】綴じ部材の正面図である。
【図２４】図１８に示す綴じ具の綴じ部材及びバネ部材の作動状態を示す図解図であ    る。
【図２５】図１８に示す綴じ具の綴じ部材及びバネ部材の作動状態を示す図で、（Ａ）    は正断面図解図であり、（Ｂ）は一部分の側面図解図である。
【図２６】図１８に示す綴じ具で少ない書類を綴じたときの押圧部の状態を示す図解    図である。
【図２７】図１８に示す綴じ具の綴じ部材及びバネ部材の作動状態を示す図で、（Ａ）    は正断面図解図であり、（Ｂ）は一部分の側面図解図である。
【図２８】図１８に示す綴じ具で多い書類を綴じたときの押圧部の状態を示す図解図    である。
【図２９】従来の綴じ部材を用いた綴じ具の一例を示す平面図である。
【図３０】図２９に示す従来の綴じ具の断面図解図である。
【符号の説明】
【００４７】
１  綴じ具
２  基板
３  垂直壁
４  枢支壁
５  起立壁
６  綴じ部材
７  バネ部材
８  操作レバー
２０  綴じ具
２２  基板
２４  軸受板
２６  貫通孔
２８  固定用凸部
３０，３４，３８  切り起こし部
３２，３６，４０  貫通孔
４２  凸部
４４  貫通孔
４６  軸
５０  バネ部材
５０ａ  巻線部
５０ｂ  一端側
５０ｃ  他端側
６０  操作レバー
６２  貫通孔
６４  折曲片
６６  貫通孔
７０  綴じ部材
７２  本体
７４  突出片
７６  押圧部
７６ａ  折曲部
７６ｂ  押付部
７７  貫通孔
７８  リブ
８０  クリップボード
８２  ボード
８４  凸条部
８６  保持具
８８  軸受け部
９０  軸支部
９２  軸部
９４  バネ部材
９６  バネ受け部
９８  凹溝
１００  書類などの被綴じ物
２２０  綴じ具
２２２  基板
２２４  軸受板
２４８  用箋揃え部
２２６  貫通孔
２２８  固定用凸部
２３０，２３４，２３８  切り起こし部
２３２，２３６，２４０  貫通孔
２４２  凸部
２４４  貫通孔
２４６  軸
２５０  バネ部材
２５０ａ  巻線部
２５０ｂ  一端側
２５０ｃ  他端側
２５０ｄ  立ち上がり部
２５０ｅ  架け渡し部
２５０ｆ  係止部
２６０  操作レバー
２６２  貫通孔
２６４  折曲片
２６６  貫通孔
２７０  綴じ部材
２７２  本体
２７２ａ  立ち上がり部
２７２ｂ  架け渡し部
２７４  突出片
２７６  押圧部
２７６ａ  折曲部
２７６ｂ  押付部
２７７  貫通孔
２７８  リブ
【図１】
2006142798.tif 000003
【図２】
2006142798.tif 000004
【図３】
2006142798.tif 000005
【図４】
2006142798.tif 000006
【図５】
2006142798.tif 000007
【図６】
2006142798.tif 000008
【図７】
2006142798.tif 000009
【図８】
2006142798.tif 000010
【図９】
2006142798.tif 000011
【図１０】
2006142798.tif 000012
【図１１】
2006142798.tif 000013
【図１２】
2006142798.tif 000014
【図１３】
2006142798.tif 000015
【図１４】
2006142798.tif 000016
【図１５】
2006142798.tif 000017
【図１６】
2006142798.tif 000018
【図１７】
2006142798.tif 000019
【図１８】
2006142798.tif 000020
【図１９】
2006142798.tif 000021
【図２０】
2006142798.tif 000022
【図２１】
2006142798.tif 000023
【図２２】
2006142798.tif 000024
【図２３】
2006142798.tif 000025
【図２４】
2006142798.tif 000026
【図２５】
2006142798.tif 000027
【図２６】
2006142798.tif 000028
【図２７】
2006142798.tif 000029
【図２８】
2006142798.tif 000030
【図２９】
2006142798.tif 000031
【図３０】
2006142798.tif 000032